(57)【要約】【課題】商品の在庫数量が一定の基準数量を下回った場合に、当該商品の発注数を自動的に算出できる発注数算出装置、発注数算出方法および発注数算出プログラムの提供を課題とする。【解決手段】本実施形態では、（１）指定された商品コードと紐付く在庫テーブル中の現在庫数が前記指定された商品コードと紐付く発注点マスタ中の発注点より少ないか否かを判定し、（２）少ないと判定した場合、前記指定された商品コードと紐付く発注条件マスタ中の最小発注数を、前記指定された商品コードの商品の発注数として算出し、（３）前記（１）で判定の対象となった現在庫数に前記（２）で算出した発注数を加算した数値が前記（１）で判定の対象となった発注点より少ない場合、前記（２）で算出した発注数に前記指定された商品コードと紐付く発注条件マスタ中の増分発注数を所定の回数分加算した数値を、前記指定された商品コードの商品の発注数として算出する。【選択図】図４
2019159673.tif 000002
【特許請求の範囲】
【請求項１】
制御部および記憶部を備える発注数算出装置であって、
前記記憶部には、
商品を識別するための商品識別データと商品の在庫数量とを含む在庫テーブルと、
商品識別データと前記商品についての基準数量とを含む基準数量マスタと、
商品識別データと商品の発注をする際の最小の発注数である最小発注数と当該最小発注数より少ない発注数とを含む発注数マスタと、
が格納されており、
前記制御部は、
指定された商品識別データと紐付く前記在庫テーブル中の在庫数量が前記指定された商品識別データと紐付く前記基準数量マスタ中の基準数量より少ないか否かを判定する判定手段と、
前記判定手段で前記少ないと判定した場合、前記指定された商品識別データと紐付く前記発注数マスタ中の最小発注数を、前記指定された商品識別データで特定される商品についての発注数として算出する第一発注数算出手段と、
前記判定手段で判定の対象となった在庫数量に前記第一発注数算出手段で算出した前記発注数を加算した数値が前記判定手段で判定の対象となった基準数量より少ない場合、前記第一発注数算出手段で算出した前記発注数に前記指定された商品識別データと紐付く前記発注数マスタ中の前記少ない発注数を所定の回数分加算した数値を、前記指定された商品識別データで特定される商品についての発注数として算出する第二発注数算出手段と、
を備えること、
を特徴とする発注数算出装置。
【請求項２】
前記所定の回数は、
前記判定手段で判定の対象となった在庫数量と前記所定の回数分加算した数値との和が前記判定手段で判定の対象となった基準数量以上となるのに要する前記少ない発注数を加算する回数であること、
を特徴とする請求項１に記載の発注数算出装置。
【請求項３】
前記制御部は、
前記指定された商品識別データおよび当該商品識別データで特定される商品についての前記算出した発注数を表示領域に表示する表示実行手段
を更に備えること、
を特徴とする請求項１または２に記載の発注数算出装置。
【請求項４】
前記制御部は、
前記指定された商品識別データおよび当該商品識別データで特定される商品についての前記算出した発注数を含む発注データを作成する発注データ作成手段
を更に備えること、
を特徴とする請求項１から３のいずれか１つに記載の発注数算出装置。
【請求項５】
前記基準数量が、前記商品についての発注点または安全在庫であること、
を特徴とする請求項１から４のいずれか１つに記載の発注数算出装置。
【請求項６】
制御部および記憶部を備える情報処理装置で実行される発注数算出方法であって、
前記記憶部には、
商品を識別するための商品識別データと商品の在庫数量とを含む在庫テーブルと、
商品識別データと前記商品についての基準数量とを含む基準数量マスタと、
商品識別データと商品の発注をする際の最小の発注数である最小発注数と当該最小発注数より少ない発注数とを含む発注数マスタと、
が格納されており、
前記制御部で実行される、
指定された商品識別データと紐付く前記在庫テーブル中の在庫数量が前記指定された商品識別データと紐付く前記基準数量マスタ中の基準数量より少ないか否かを判定する判定ステップと、
前記判定ステップで前記少ないと判定した場合、前記指定された商品識別データと紐付く前記発注数マスタ中の最小発注数を、前記指定された商品識別データで特定される商品についての発注数として算出する第一発注数算出ステップと、
前記判定ステップで判定の対象となった在庫数量に前記第一発注数算出ステップで算出した前記発注数を加算した数値が前記判定ステップで判定の対象となった基準数量より少ない場合、前記第一発注数算出ステップで算出した前記発注数に前記指定された商品識別データと紐付く前記発注数マスタ中の前記少ない発注数を所定の回数分加算した数値を、前記指定された商品識別データで特定される商品についての発注数として算出する第二発注数算出ステップと、
を含むこと、
を特徴とする発注数算出方法。
【請求項７】
制御部および記憶部を備える情報処理装置に実行させるための発注数算出プログラムであって、
前記記憶部には、
商品を識別するための商品識別データと商品の在庫数量とを含む在庫テーブルと、
商品識別データと前記商品についての基準数量とを含む基準数量マスタと、
商品識別データと商品の発注をする際の最小の発注数である最小発注数と当該最小発注数より少ない発注数とを含む発注数マスタと、
が格納されており、
前記制御部に実行させるための、
指定された商品識別データと紐付く前記在庫テーブル中の在庫数量が前記指定された商品識別データと紐付く前記基準数量マスタ中の基準数量より少ないか否かを判定する判定ステップと、
前記判定ステップで前記少ないと判定した場合、前記指定された商品識別データと紐付く前記発注数マスタ中の最小発注数を、前記指定された商品識別データで特定される商品についての発注数として算出する第一発注数算出ステップと、
前記判定ステップで判定の対象となった在庫数量に前記第一発注数算出ステップで算出した前記発注数を加算した数値が前記判定ステップで判定の対象となった基準数量より少ない場合、前記第一発注数算出ステップで算出した前記発注数に前記指定された商品識別データと紐付く前記発注数マスタ中の前記少ない発注数を所定の回数分加算した数値を、前記指定された商品識別データで特定される商品についての発注数として算出する第二発注数算出ステップと、
を含むこと、
を特徴とする発注数算出プログラム。
【発明の詳細な説明】
【技術分野】
【０００１】
本発明は、発注数算出装置、発注数算出方法および発注数算出プログラムに関する。
【背景技術】
【０００２】
特許文献１には、実際の発注に先立って発注予測情報を仕入業者に提供することにより、仕入業者にとって計画的な生産や効率的な在庫計画を立てることのできる発注予測情報提供システムが開示されている（特許文献１の０００６段落参照）。
【先行技術文献】
【特許文献】
【０００３】
【特許文献１】特開２００２−１３３２３２号公報
【発明の概要】
【発明が解決しようとする課題】
【０００４】
このように発注情報の管理を行う業界（例えば、製造業界や小売業界等）においては、取り扱っている商品の在庫数量がある一定の基準数量（例えば、発注点や安全在庫等）を下回った場合に、商品の発注を行う。
【０００５】
この際に、従来においては、前記基準数量を満たすために必要な在庫数量（すなわち、商品の発注数）を担当者が手作業で算出していたため、非常に時間と労力がかかっていた。
【０００６】
本発明は、上記問題点に鑑みてなされたものであって、商品の在庫数量が一定の基準数量を下回った場合に、当該商品の発注数を自動的に算出できる発注数算出装置、発注数算出方法および発注数算出プログラムを提供することを目的とする。
【課題を解決するための手段】
【０００７】
上述した課題を解決し、目的を達成するために、本発明に係る発注数算出装置は、制御部および記憶部を備える発注数算出装置であって、前記記憶部には、商品を識別するための商品識別データと商品の在庫数量とを含む在庫テーブルと、商品識別データと前記商品についての基準数量とを含む基準数量マスタと、商品識別データと商品の発注をする際の最小の発注数である最小発注数と当該最小発注数より少ない発注数とを含む発注数マスタと、が格納されており、前記制御部は、指定された商品識別データと紐付く前記在庫テーブル中の在庫数量が前記指定された商品識別データと紐付く前記基準数量マスタ中の基準数量より少ないか否かを判定する判定手段と、前記判定手段で前記少ないと判定した場合、前記指定された商品識別データと紐付く前記発注数マスタ中の最小発注数を、前記指定された商品識別データで特定される商品についての発注数として算出する第一発注数算出手段と、前記判定手段で判定の対象となった在庫数量に前記第一発注数算出手段で算出した前記発注数を加算した数値が前記判定手段で判定の対象となった基準数量より少ない場合、前記第一発注数算出手段で算出した前記発注数に前記指定された商品識別データと紐付く前記発注数マスタ中の前記少ない発注数を所定の回数分加算した数値を、前記指定された商品識別データで特定される商品についての発注数として算出する第二発注数算出手段と、を備えること、を特徴とする。
【０００８】
また、本発明に係る発注数算出装置は、前記所定の回数が、前記判定手段で判定の対象となった在庫数量と前記所定の回数分加算した数値との和が前記判定手段で判定の対象となった基準数量以上となるのに要する前記少ない発注数を加算する回数であること、を特徴とする。
【０００９】
また、本発明に係る発注数算出装置は、前記制御部が、前記指定された商品識別データおよび当該商品識別データで特定される商品についての前記算出した発注数を表示領域に表示する表示実行手段を更に備えること、を特徴とする。
【００１０】
また、本発明に係る発注数算出装置は、前記制御部が、前記指定された商品識別データおよび当該商品識別データで特定される商品についての前記算出した発注数を含む発注データを作成する発注データ作成手段を更に備えること、を特徴とする。
【００１１】
また、本発明に係る発注数算出装置は、前記基準数量が、前記商品についての発注点または安全在庫であること、を特徴とする。
【００１２】
また、本発明に係る発注数算出方法は、制御部および記憶部を備える情報処理装置で実行される発注数算出方法であって、前記記憶部には、商品を識別するための商品識別データと商品の在庫数量とを含む在庫テーブルと、商品識別データと前記商品についての基準数量とを含む基準数量マスタと、商品識別データと商品の発注をする際の最小の発注数である最小発注数と当該最小発注数より少ない発注数とを含む発注数マスタと、が格納されており、前記制御部で実行される、指定された商品識別データと紐付く前記在庫テーブル中の在庫数量が前記指定された商品識別データと紐付く前記基準数量マスタ中の基準数量より少ないか否かを判定する判定ステップと、前記判定ステップで前記少ないと判定した場合、前記指定された商品識別データと紐付く前記発注数マスタ中の最小発注数を、前記指定された商品識別データで特定される商品についての発注数として算出する第一発注数算出ステップと、前記判定ステップで判定の対象となった在庫数量に前記第一発注数算出ステップで算出した前記発注数を加算した数値が前記判定ステップで判定の対象となった基準数量より少ない場合、前記第一発注数算出ステップで算出した前記発注数に前記指定された商品識別データと紐付く前記発注数マスタ中の前記少ない発注数を所定の回数分加算した数値を、前記指定された商品識別データで特定される商品についての発注数として算出する第二発注数算出ステップと、を含むこと、を特徴とする。
【００１３】
また、本発明に係る発注数算出プログラムは、制御部および記憶部を備える情報処理装置に実行させるための発注数算出プログラムであって、前記記憶部には、商品を識別するための商品識別データと商品の在庫数量とを含む在庫テーブルと、商品識別データと前記商品についての基準数量とを含む基準数量マスタと、商品識別データと商品の発注をする際の最小の発注数である最小発注数と当該最小発注数より少ない発注数とを含む発注数マスタと、が格納されており、前記制御部に実行させるための、指定された商品識別データと紐付く前記在庫テーブル中の在庫数量が前記指定された商品識別データと紐付く前記基準数量マスタ中の基準数量より少ないか否かを判定する判定ステップと、前記判定ステップで前記少ないと判定した場合、前記指定された商品識別データと紐付く前記発注数マスタ中の最小発注数を、前記指定された商品識別データで特定される商品についての発注数として算出する第一発注数算出ステップと、前記判定ステップで判定の対象となった在庫数量に前記第一発注数算出ステップで算出した前記発注数を加算した数値が前記判定ステップで判定の対象となった基準数量より少ない場合、前記第一発注数算出ステップで算出した前記発注数に前記指定された商品識別データと紐付く前記発注数マスタ中の前記少ない発注数を所定の回数分加算した数値を、前記指定された商品識別データで特定される商品についての発注数として算出する第二発注数算出ステップと、を含むこと、を特徴とする。
【発明の効果】
【００１４】
本発明によれば、商品の在庫数量が一定の基準数量を下回った場合に、当該商品の発注数を自動的に算出できるという効果を奏する。
【図面の簡単な説明】
【００１５】
【図１】図１は、発注数算出装置の構成の一例を示すブロック図である。
【図２】図２は、本実施形態に係る処理の流れの概要の一例を示す図である。
【図３】図３は、発注データに入荷予定日等をセットする際に参照するカレンダーの一例を示す図である。
【図４】図４は、本実施形態に係る発注数算出処理の具体例を示す図である。
【図５】図５は、各マスタおよび各テーブルにおける具体的内容の一例を示す図である。
【図６】図６は、発注点割れ警告照会画面の一例を示す図である。
【図７】図７は、発注点割れ警告照会画面からの指示を受けて出力される出力データの一例を示す図である。
【発明を実施するための形態】
【００１６】
以下に、発注数算出装置、発注数算出方法および発注数算出プログラムの実施形態を、図面に基づいて詳細に説明する。なお、本実施形態により本発明が限定されるものではない。
【００１７】
［１．概要］
製造業界や小売業界等においては、取り扱っている商品の在庫数量がある一定の基準数量（例えば、安全在庫）を下回った場合に、商品の発注を行う。この際、従来においては、前記安全在庫を満たすために必要な在庫数量を手作業により算出しており効率が悪いという問題があった。また、この結果従来においては、発注すべきデータ（発注データ）も手作業により作成しており効率が悪いという問題があった。
【００１８】
そこで、本実施形態においては、例えば、商品の現在の在庫数と発注点マスタに設定された発注点および適正在庫数とを比較して、発注すべき商品の数量を計算し、基準数量（例えば、安全在庫）を割っている商品を対象とした警告照会を出力できるようにした。また、本実施形態においては、例えば、警告照会画面からの指示を受けて出力されたデータを発注取込処理で取り込むことによって、発注データを作成できるようにした。そして、本実施形態においては、例えば、予め必要な設定をしておけば、オペレータが画面を見ずとも、毎日自動的に発注データを作成することができる（スケジュール実行での自動処理）。以下、具体的な構成および動作について説明する。
【００１９】
［２．構成］
本実施形態に係る発注数算出装置１００の構成の一例について、図１を参照して説明する。図１は、発注数算出装置１００の構成の一例を示すブロック図である。
【００２０】
発注数算出装置１００は、市販のデスクトップ型パーソナルコンピュータである。なお、発注数算出装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２１】
発注数算出装置１００は、制御部１０２と通信インターフェース部１０４と記憶部１０６と入出力インターフェース部１０８と、を備えている。発注数算出装置１００が備えている各部は、任意の通信路を介して通信可能に接続されている。
【００２２】
通信インターフェース部１０４は、ルータ等の通信装置および専用線等の有線または無線の通信回線を介して、発注数算出装置１００をネットワーク３００に通信可能に接続する。通信インターフェース部１０４は、他の装置と通信回線を介してデータを通信する機能を有する。ここで、ネットワーク３００は、発注数算出装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する各種マスタ等のデータは、例えばサーバ２００に格納されてもよい。
【００２３】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２４】
記憶部１０６には、各種のデータベース、テーブルおよびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２５】
記憶部１０６は、例えば、基準数量マスタとしての発注点マスタ１０６ａと、商品単価マスタ１０６ｂと、商品マスタ１０６ｃと、仕入先マスタ１０６ｄと、在庫テーブル１０６ｅと、発注数マスタとしての倉庫商品別発注条件マスタ１０６ｆ（以下、単に「発注条件マスタ１０６ｆ」という。）と、出力データ１０６ｇと、発注データ１０６ｈと、を備えている。
【００２６】
発注点マスタ１０６ａは、図５に示すように、例えば、商品を識別するための商品識別データ（商品コード）、仕入先を識別するための仕入先識別データ（仕入先コード）、自社の倉庫を識別するための倉庫識別データ（倉庫コード）および前記商品についての基準数量（発注点）等を含む。
【００２７】
前記基準数量は、例えば、前記商品についての発注点および安全在庫等である。発注点とは、発注の水準となる在庫量のことである。発注点は、発注のタイミングの目安とされ、在庫量が発注点を下回ると発注が行われる。安全在庫とは、需要の変動による欠品を防ぐために必要とされる在庫量の水準である。
【００２８】
商品単価マスタ１０６ｂは、図５に示すように、例えば、商品識別データ（商品コード）および商品単価（単価）等を含む。
【００２９】
商品マスタ１０６ｃは、図５に示すように、例えば、商品識別データ（商品コードおよび商品名）等を含む。
【００３０】
仕入先マスタ１０６ｄは、図５に示すように、例えば、仕入先識別データ（仕入先コードおよび仕入先名）等を含む。
【００３１】
在庫テーブル１０６ｅは、図５に示すように、例えば、商品識別データ（商品コード）、倉庫識別データ（倉庫コード）および商品の在庫数量（現在庫数）等を含む。
【００３２】
発注条件マスタ１０６ｆは、図５に示すように、例えば、倉庫識別データ（倉庫コード）、商品識別データ（商品コード）、商品の発注をする際の最小の発注数である最小発注数（最小発注数）および当該最小発注数より少ない発注数（増分発注数）等を含む。最小発注数は、例えば、個々の仕入先との取り決めにより決定される数値である。
【００３３】
詳細は以下の［３．処理の具体例］で説明するが、前記増分発注数を用いることにより、現在庫数に発注数を加算した数値が前記基準数量以上になるまで、発注数を小刻みに増やしていくことができ、この結果、製造業者や小売業者等は、商品を本来必要な数量より多めに発注してしまい余分な在庫を抱えることになるのを防ぐことができる。
【００３４】
出力データ１０６ｇは、算出した発注数（つまり、最終的な発注数）を含み、発注データ１０６ｈ作成の元となるデータである。出力データ１０６ｇは、図７に示すように、例えば、仕入先識別データ（仕入先コード）、倉庫識別データ（倉庫コード）、商品識別データ（商品コード）、発注日、算出した発注数（数量）、発注単価（単価）および発注金額（金額）等を含む。
【００３５】
発注データ１０６ｈは、図示はしないが、例えば、仕入先識別データ、倉庫識別データ、商品識別データ、発注日、算出した発注数、発注単価、発注金額、仮伝票番号、入荷予定日、仕入予定日および仕入先納品日等を含む。
【００３６】
制御部１０２は、発注数算出装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３７】
制御部１０２は、機能概念的に、例えば、（１）指定された商品識別データと紐付く前記在庫テーブル中の在庫数量が前記指定された商品識別データと紐付く前記基準数量マスタ中の基準数量より少ないか否かを判定する判定手段としての判定部１０２ａと、（２）前記判定手段で前記少ないと判定した場合、前記指定された商品識別データと紐付く前記発注数マスタ中の最小発注数を、前記指定された商品識別データで特定される商品についての発注数として算出する第一発注数算出手段としての第一発注数算出部１０２ｂと、（３）前記判定手段で判定の対象となった在庫数量に前記第一発注数算出手段で算出した前記発注数を加算した数値が前記判定手段で判定の対象となった基準数量より少ない場合、前記第一発注数算出手段で算出した前記発注数に前記指定された商品識別データと紐付く前記発注数マスタ中の前記少ない発注数を所定の回数分加算した数値を、前記指定された商品識別データで特定される商品についての発注数として算出する第二発注数算出手段としての第二発注数算出部１０２ｃと、（４）前記指定された商品識別データおよび当該商品識別データで特定される商品についての前記算出した発注数を表示領域に表示する表示実行手段としての表示実行部１０２ｄと、（５）前記指定された商品識別データおよび当該商品識別データで特定される商品についての前記算出した発注数を含む発注データを作成する発注データ作成手段としての発注データ作成部１０２ｅと、を備えている。なお、各部が実行する処理の詳細については、以下の［３．処理の具体例］で説明する。
【００３８】
［３．処理の具体例］
以下、本実施形態に係る処理の具体例について、図２〜図７を用いて詳細に説明する。以下、［３−１］〜［３−３］では発注数の算出について説明し、［３−４］では発注点割れ警告照会について説明し、［３−５］では発注データの作成について説明する。なお、本項目［３．処理の具体例］において、各マスタおよび各テーブルにおける具体的内容は、図５に示すとおりであるとする。
【００３９】
［３−１．商品コードＨＩＮ０１で特定される商品０１についての発注数算出］
まず、商品コードＨＩＮ０１で特定される商品０１についての発注数算出について、図４の例１を参照しつつ説明する。
【００４０】
（１）判定処理
判定部１０２ａは、指定された商品識別データ（商品コード）と紐付く在庫テーブル１０６ｅ中の在庫数量（現在庫数）が前記指定された商品識別データ（商品コード）と紐付く発注点マスタ１０６ａ中の基準数量（発注点）より少ないか否かを判定する。
【００４１】
具体的には、図６に示す発注点割れ警告照会画面において、倉庫コード「ＳＯＵ０１」および仕入先コード「ＳＨＩ０１」が指定されると、図５の発注点マスタ１０６ａを参照して、「ＳＯＵ０１」および「ＳＨＩ０１」と紐付く商品コードの１つである「ＨＩＮ０１」が取得される。
【００４２】
ここで、図５の在庫テーブル１０６ｅを参照すると、商品コード「ＨＩＮ０１」と紐付く現在庫数は、４０個である。一方で、図５の発注点マスタ１０６ａを参照すると、商品コード「ＨＩＮ０１」と紐付く発注点は、８０個である。
【００４３】
以上より、判定部１０２ａは、現在庫数（４０個）が、発注点（８０個）より少ないと判定する。このため、発注点８０個から現在庫数４０個を差し引いた不足分４０個を埋めるために、以下の第一発注数算出処理が行われる。
【００４４】
（２）第一発注数算出処理
第一発注数算出部１０２ｂは、判定部１０２ａで少ないと判定した場合、前記指定された商品識別データ（商品コード）と紐付く発注条件マスタ１０６ｆ中の最小発注数を、前記指定された商品識別データ（商品コード）で特定される商品についての発注数として算出する。
【００４５】
具体的には、図５の発注条件マスタ１０６ｆを参照すると、商品コード「ＨＩＮ０１」と紐付く最小発注数は、５０個である。このため、第一発注数算出部１０２ｂは、図４の例１の最右列に示すように、当該５０個を、商品コード「ＨＩＮ０１」で特定される商品「商品０１」についての発注数として算出する。
【００４６】
なお、「商品０１」の現在個数４０個に第一発注数算出部１０２ｂで算出した前記発注数５０個を加算すると、９０個となり、「商品０１」の発注点８０個より多くなる（すなわち、発注数５０個は、発注点を満たすのに十分な発注数であるということを意味する）。この場合には、発注数を小刻みに増やしていく第二発注数算出処理は実行されない。
【００４７】
［３−２．商品コードＨＩＮ０２で特定される商品０２についての発注数算出］
次に、商品コードＨＩＮ０２で特定される商品０２についての発注数算出について、図４の例２を参照しつつ説明する。
【００４８】
（１）判定処理
判定部１０２ａは、指定された商品識別データ（商品コード）と紐付く在庫テーブル１０６ｅ中の在庫数量（現在庫数）が前記指定された商品識別データ（商品コード）と紐付く発注点マスタ１０６ａ中の基準数量（発注点）より少ないか否かを判定する。
【００４９】
具体的には、図６に示す発注点割れ警告照会画面において、倉庫コード「ＳＯＵ０１」および仕入先コード「ＳＨＩ０１」が指定されると、図５の発注点マスタ１０６ａを参照して、「ＳＯＵ０１」および「ＳＨＩ０１」と紐付く商品コードの１つである「ＨＩＮ０２」が取得される。
【００５０】
ここで、図５の在庫テーブル１０６ｅを参照すると、商品コード「ＨＩＮ０２」と紐付く現在庫数は、５５個である。一方で、図５の発注点マスタ１０６ａを参照すると、商品コード「ＨＩＮ０２」と紐付く発注点は、１１０個である。
【００５１】
以上より、判定部１０２ａは、現在庫数（５５個）が、発注点（１１０個）より少ないと判定する。このため、発注点１１０個から現在庫数５５個を差し引いた不足分５５個を埋めるために、以下の第一発注数算出処理および第二発注数算出処理が実行される。
【００５２】
（２）第一発注数算出処理
第一発注数算出部１０２ｂは、判定部１０２ａで少ないと判定した場合、前記指定された商品識別データ（商品コード）と紐付く発注条件マスタ１０６ｆ中の最小発注数を、前記指定された商品識別データ（商品コード）で特定される商品についての発注数として算出する。
【００５３】
具体的には、図５の発注条件マスタ１０６ｆを参照すると、商品コード「ＨＩＮ０２」と紐付く最小発注数は、５０個である。このため、第一発注数算出部１０２ｂは、当該５０個を、商品コード「ＨＩＮ０２」で特定される商品「商品０２」についての発注数として算出する。
【００５４】
ここで、「商品０２」の現在庫数５５個に第一発注数算出部１０２ｂで算出した前記発注数５０個を加算すると、１０５個となり、「商品０２」の発注点１１０個より少なくなる（すなわち、発注数５０個は、発注点を満たすのに十分な発注数ではないということを意味する）。この場合には、発注数を小刻みに増やしていく第二発注数算出処理が以下のようにして実行される。言い換えると、前段落で説明した発注数５０個は、以下で説明する第二発注数算出処理により変更されるため、最終的な発注数ではない。
【００５５】
（３）第二発注数算出処理
第二発注数算出部１０２ｃは、判定部１０２ａで判定の対象となった在庫数量（現在庫数）に第一発注数算出部１０２ｂで算出した発注数を加算した数値が判定部１０２ａで判定の対象となった基準数量（発注点）より少ない場合、第一発注数算出部１０２ｂで算出した発注数に前記指定された商品識別データ（商品コード）と紐付く発注条件マスタ１０６ｆ中の少ない発注数（増分発注数）を所定の回数分加算した数値を、前記指定された商品識別データ（商品コード）で特定される商品についての発注数として算出する。
【００５６】
具体的には、（２）の最終段落で説明したように、判定部１０２ａで判定の対象となった現在庫数５５個に第一発注数算出部１０２ｂで算出した発注数５０個を加算した数値である１０５個は、判定部１０２ａで判定の対象となった発注点１１０個より少ない。この場合、第二発注数算出部１０２ｃは、第一発注数算出部１０２ｂで算出した発注数５０個に、商品コード「ＨＩＮ０２」と紐付く図５に示す発注条件マスタ１０６ｆ中の増分発注数１０個を、所定の回数分加算する。
【００５７】
ここで、前記所定の回数は、例えば、判定部１０２ａで判定の対象となった在庫数量（現在庫数）と前記所定の回数分加算した数値との和が判定部１０２ａで判定の対象となった基準数量（発注点）以上となるのに要する前記少ない発注数（増分発注数）を加算する回数である。
【００５８】
具体的には、判定部１０２ａで判定の対象となった現在庫数５５個と、第一算出部１０２ｂで算出した発注数５０個に増分発注数１０個を「１回分」加算した数値と、の和は、５５個＋（５０個＋１０個×１）＝１１５個となり、判定部１０２ａで判定の対象となった発注点１１０個以上となる。このため、前記所定の回数は、「１回」となる。
【００５９】
以上より、第二発注数算出部１０２ｃは、発注数５０個に増分発注数１０個を「１回分」だけ加算した数値「６０個」を、商品コード「ＨＩＮ０２」で特定される商品「商品０２」についての発注数として算出する。
【００６０】
［３−３．商品コードＨＩＮ０３で特定される商品０３についての発注数算出］
次に、商品コードＨＩＮ０３で特定される商品０３についての発注数算出について、図４の例３を参照しつつ説明する。
【００６１】
（１）判定処理
判定部１０２ａは、指定された商品識別データ（商品コード）と紐付く在庫テーブル１０６ｅ中の在庫数量（現在庫数）が前記指定された商品識別データ（商品コード）と紐付く発注点マスタ１０６ａ中の基準数量（発注点）より少ないか否かを判定する。
【００６２】
具体的には、図６に示す発注点割れ警告照会画面において、倉庫コード「ＳＯＵ０１」および仕入先コード「ＳＨＩ０１」が指定されると、図５の発注点マスタ１０６ａを参照して、「ＳＯＵ０１」および「ＳＨＩ０１」と紐付く商品コードの１つである「ＨＩＮ０３」が取得される。
【００６３】
ここで、図５の在庫テーブル１０６ｅを参照すると、商品コード「ＨＩＮ０３」と紐付く現在庫数は、６８個である。一方で、図５の発注点マスタ１０６ａを参照すると、商品コード「ＨＩＮ０３」と紐付く発注点は、１３０個である。
【００６４】
以上より、判定部１０２ａは、現在庫数（６８個）が、発注点（１３０個）より少ないと判定する。このため、発注点１３０個から現在庫数６８個を差し引いた不足分６２個を埋めるために、以下の第一発注数算出処理および第二発注数算出処理が実行される。
【００６５】
（２）第一発注数算出処理
第一発注数算出部１０２ｂは、判定部１０２ａで少ないと判定した場合、前記指定された商品識別データ（商品コード）と紐付く発注条件マスタ１０６ｆ中の最小発注数を、前記指定された商品識別データ（商品コード）で特定される商品についての発注数として算出する。
【００６６】
具体的には、図５の発注条件マスタ１０６ｆを参照すると、商品コード「ＨＩＮ０３」と紐付く最小発注数は、５０個である。このため、第一発注数算出部１０２ｂは、当該５０個を、商品コード「ＨＩＮ０３」で特定される商品「商品０３」についての発注数として算出する。
【００６７】
ここで、「商品０３」の現在庫数６８個に第一発注数算出部１０２ｂで算出した前記発注数５０個を加算すると、１１８個となり、「商品０３」の発注点１３０個より少なくなる（すなわち、発注数５０個は、発注点を満たすのに十分な発注数ではないということを意味する）。この場合には、発注数を小刻みに増やしていく第二発注数算出処理が以下のようにして実行される。言い換えると、前段落で説明した発注数５０個は、以下で説明する第二発注数算出処理により変更されるため、最終的な発注数ではない。
【００６８】
（３）第二発注数算出処理
第二発注数算出部１０２ｃは、判定部１０２ａで判定の対象となった在庫数量（現在庫数）に第一発注数算出部１０２ｂで算出した発注数を加算した数値が判定部１０２ａで判定の対象となった基準数量（発注点）より少ない場合、第一発注数算出部１０２ｂで算出した発注数に前記指定された商品識別データ（商品コード）と紐付く発注条件マスタ１０６ｆ中の少ない発注数（増分発注数）を所定の回数分加算した数値を、前記指定された商品識別データ（商品コード）で特定される商品についての発注数として算出する。
【００６９】
具体的には、（２）の最終段落で説明したように、判定部１０２ａで判定の対象となった現在庫数６８個に第一発注数算出部１０２ｂで算出した発注数５０個を加算した数値である１１８個は、判定部１０２ａで判定の対象となった発注点１３０個より少ない。この場合、第二発注数算出部１０２ｃは、第一発注数算出部１０２ｂで算出した発注数５０個に、商品コード「ＨＩＮ０３」と紐付く図５に示す発注条件マスタ１０６ｆ中の増分発注数１０個を、所定の回数分加算する。
【００７０】
ここで、前記所定の回数は、例えば、判定部１０２ａで判定の対象となった在庫数量（現在庫数）と前記所定の回数分加算した数値との和が判定部１０２ａで判定の対象となった基準数量（発注点）以上となるのに要する前記少ない発注数（増分発注数）を加算する回数である。
【００７１】
具体的には、判定部１０２ａで判定の対象となった現在庫数６８個と、第一算出部１０２ｂで算出した発注数５０個に増分発注数１０個を「２回分」加算した数値と、の和は、６８個＋（５０個＋１０個×２）＝１３８個となり、判定部１０２ａで判定の対象となった発注点１３０個以上となる。このため、前記所定の回数は、「２回」となる。
【００７２】
以上より、第二発注数算出部１０２ｃは、発注数５０個に増分発注数１０個を「２回分」だけ加算した数値「７０個」を、商品コード「ＨＩＮ０３」で特定される商品「商品０３」についての発注数として算出する。
【００７３】
［３−４．発注点割れ警告照会］
表示実行部１０２ｄは、前記指定された商品識別データ（商品コード）および当該商品識別データ（商品コード）で特定される商品についての前記算出した発注数を表示領域に表示する。
【００７４】
具体的には、［３−１］で説明したように商品コード「ＨＩＮ０１」で特定される商品０１について第一発注数算出部１０２ｂで算出した発注数は「５０個」であり、［３−２］で説明したように商品コード「ＨＩＮ０２」で特定される商品０２について第二発注数算出部１０２ｃで算出した発注数は「６０個」であり、［３−３］で説明したように商品コード「ＨＩＮ０３」で特定される商品０３について第二発注数算出部１０２ｃで算出した発注数は「７０個」である。以上より、表示実行部１０２ｄは、これらの商品コードおよび発注数を、図６の発注点割れ警告照会画面の表示領域ＭＡ１に表示する。これにより、オペレータは、発注点を割っている商品の一覧および当該商品についての発注数を迅速かつ正確に把握することができる。
【００７５】
続けて、図６の発注点割れ警告照会画面において「Ｆ９：出力」が選択されると、図７に示す出力データ１０６ｇが出力される。そして、図２に示すように、出力された出力データ１０６ｇは、手動または汎用連携により、発注取込処理に付され、以下のようにして、発注データ１０６ｈが作成される。これにより、従来においては、発注点割れ警告表を見ながら、発注の取込フォーマットを作成するのが手間だったが、本実施形態においては、発注点割れ警告照会から、発注取込み可能なフォーマットの形の出力データ１０６ｇを出力することができる。
【００７６】
［３−５．発注データの作成］
発注データ作成部１０２ｅは、前記指定された商品識別データ（商品コード）および当該商品識別データ（商品コード）で特定される商品についての前記算出した発注数を含む発注データ１０６ｈを作成する。
【００７７】
具体的には、発注データ作成部１０２ｅは、［３−４］で出力した図７の出力データ１０６ｇを元にして、発注点を割っている商品の一覧および当該商品についての発注数等を含む発注データ１０６ｈを作成する。
【００７８】
発注データ１０６ｈには、図７に示す情報に加えて、例えば、仮伝票番号、入荷予定日、仕入予定日および仕入先納品日等を含んでいてもよい。
【００７９】
仮伝票番号は、例えば、「システム日付＋システム時刻（ＹＹＭＭＤＤＨＨＳＳ＋連番）」となる。
【００８０】
入荷予定日、仕入予定日および仕入先納品日は、例えば、システム日付に、発注点マスタ１０６ａ中の発注ＬＴ（発注リードタイム）を加算して算出することができる（なお、発注ＬＴは、カレンダーマスタにおける稼働日のみを加算対象とする）。例えば、図３に示すように、システム日付（発注日付）が2016/6/24であり、発注ＬＴ＝４である場合、2016/6/24から数えて４稼働日後の2016/6/30が入荷予定日となる。
【００８１】
［３−６．まとめ］
以上、［３−１］〜［３−３］で説明したように、本実施形態に係る発注数算出装置１００によれば、商品の在庫数量が一定の基準数量（例えば、発注点）を下回った場合に、当該商品の発注数を自動的に算出できる。これにより、例えば、担当者が手作業で発注数を算出するのに要する時間と労力を削減し、更に、人為的作業に起因するミスも防ぐことができる。
【００８２】
また、本実施形態に係る発注数算出装置１００によれば、［３−２］および［３−３］で説明したように、例えば、発注数を小刻みに増やしていくことにより基準数量（例えば、発注点）を満たすことができるので、商品を本来必要な数量より多めに発注してしまい余分な在庫を抱えることになるのを防ぐことができる。
【００８３】
そして、本実施形態に係る発注数算出装置１００によれば、［３−４］および［３−５］で説明したように、例えば、基準数量（例えば、発注点）を割っている商品の一覧および当該商品についての発注数を含む出力データを出力し、当該出力データを元にして発注データを作成できるので、担当者が手作業で発注データを作成するのに要する時間と労力を削減し、更に、人為的作業に起因するミスも防ぐことができる。
【００８４】
［４．他の実施形態］
本発明は、上述した実施形態以外にも、特許請求の範囲に記載した技術的思想の範囲内において種々の異なる実施形態にて実施されてよいものである。
【００８５】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００８６】
また、本明細書中や図面中で示した処理手順、制御手順、具体的名称、各処理の登録データや検索条件等のパラメータを含む情報、画面例、データベース構成については、特記する場合を除いて任意に変更することができる。
【００８７】
また、発注数算出装置１００に関して、図示の各構成要素は機能概念的なものであり、必ずしも物理的に図示の如く構成されていることを要しない。
【００８８】
例えば、発注数算出装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて発注数算出装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００８９】
また、このコンピュータプログラムは、発注数算出装置１００に対して任意のネットワークを介して接続されたアプリケーションプログラムサーバに記憶されていてもよく、必要に応じてその全部または一部をダウンロードすることも可能である。
【００９０】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００９１】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００９２】
記憶部に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００９３】
また、発注数算出装置１００は、既知のパーソナルコンピュータまたはワークステーション等の情報処理装置として構成してもよく、また、任意の周辺装置が接続された当該情報処理装置として構成してもよい。また、発注数算出装置１００は、当該装置に本実施形態で説明した処理を実現させるソフトウェア（プログラムまたはデータ等を含む）を実装することにより実現してもよい。
【００９４】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００９５】
本発明は、例えば、一定量の在庫を保持しておく必要のある業界において有用であり、具体的には、製造業界や小売業界等において有用である。
【符号の説明】
【００９６】
１００  発注数算出装置
１０２  制御部
１０２ａ  判定部
１０２ｂ  第一発注数算出部
１０２ｃ  第二発注数算出部
１０２ｄ  表示実行部
１０２ｅ  発注データ作成部
１０４  通信インターフェース部
１０６  記憶部
１０６ａ  発注点マスタ
１０６ｂ  商品単価マスタ
１０６ｃ  商品マスタ
１０６ｄ  仕入先マスタ
１０６ｅ  在庫テーブル
１０６ｆ  倉庫商品別発注条件マスタ
１０６ｇ  出力データ
１０６ｈ  発注データ
１０８  入出力インターフェース部
１１２  入力装置
１１４  出力装置
２００  サーバ
３００  ネットワーク
【図１】
2019159673.tif 000003
【図２】
2019159673.tif 000004
【図３】
2019159673.tif 000005
【図４】
2019159673.tif 000006
【図５】
2019159673.tif 000007
【図６】
2019159673.tif 000008
【図７】
2019159673.tif 000009